(57)【要約】【課題】リモート視聴をする必要性が高い人が、優先的にリモート視聴をできるようにする。【解決手段】放送受信機は、ペアリングされた複数の携帯端末２の識別情報に関連付けて、放送コンテンツのリモート視聴の優先度を記憶する記憶部１４と、携帯端末２から、リモート視聴の開始を要求するリモート視聴要求を受信する受信部１１１と、所定の時間範囲内に複数の携帯端末２からリモート視聴要求を受けた場合に、優先度に基づいて一の携帯端末２を選択する選択部１５２と、選択部１５２により選択された携帯端末２に対して放送コンテンツを送信する送信部１１２と、を備える。【選択図】図２
2016066913.tif 000002
【特許請求の範囲】
【請求項１】
ペアリングされた複数の携帯端末の識別情報に関連付けて、コンテンツのリモート視聴の優先度を記憶する記憶部と、
前記携帯端末から、リモート視聴の開始を要求するリモート視聴要求を受信する受信部と、
所定の時間範囲内に複数の前記携帯端末から前記リモート視聴要求を受けた場合に、前記優先度に基づいて一の携帯端末を選択する選択部と、
前記選択部により選択された前記携帯端末に対して前記コンテンツを送信する送信部と、
を備える放送受信機。
【請求項２】
前記選択部は、前記コンテンツに関連付けられた前記優先度に基づいて、前記一の携帯端末を選択する、
請求項１に記載の放送受信機。
【請求項３】
前記選択部は、時間帯に関連付けられた前記優先度に基づいて、前記一の携帯端末を選択する、
請求項１又は２に記載の放送受信機。
【請求項４】
前記コンテンツの属性と、前記携帯端末のユーザの属性とに基づいて、前記優先度を決定する決定部をさらに備える、
請求項１から３のいずれか１項に記載の放送受信機。
【請求項５】
前記決定部は、リモート視聴の予約をしているユーザの前記携帯端末の前記優先度を、リモート視聴の予約をしていないユーザの前記携帯端末の前記優先度よりも高くする、
請求項４に記載の放送受信機。
【請求項６】
前記選択部は、一の前記携帯端末に前記コンテンツを転送中に、前記受信部が、前記一の携帯端末よりも優先度が高い他の前記携帯端末から前記リモート視聴要求を受信すると、前記一の携帯端末のリモート視聴を停止させ、前記他の携帯端末のリモート視聴を開始させる、
請求項１から５のいずれか１項に記載の放送受信機。
【請求項７】
前記送信部は、前記他の携帯端末のリモート視聴が終了すると、前記一の携帯端末に、リモート視聴が可能であることを示す情報を送信する、
請求項６に記載の放送受信機。
【請求項８】
前記送信部は、所定の時間範囲内に複数の前記携帯端末から前記リモート視聴要求を受けた場合に、複数の前記携帯端末がアクセス可能なグループ間通信サービスを提供するサーバ及び前記リモート視聴要求を送信した前記携帯端末の少なくともいずれかに、リモート視聴の競合が発生したことを示す情報を送信する、
請求項１から７のいずれか１項に記載の放送受信機。
【請求項９】
前記送信部は、所定の時間範囲内に複数の前記携帯端末から前記リモート視聴要求を受けた前記コンテンツに関連付けられた他のコンテンツのアクセス先を示すアドレス情報を、前記リモート視聴要求を送信した前記携帯端末に送信する、
請求項１から８のいずれか１項に記載の放送受信機。
【請求項１０】
前記送信部は、いずれかの前記携帯端末がリモート視聴中の前記コンテンツを特定するための情報を前記複数の携帯端末に送信する、
請求項１から９のいずれか１項に記載の放送受信機。
【請求項１１】
コンテンツを受信する放送受信機と、前記放送受信機が受信した前記コンテンツをリモート視聴できる複数の携帯端末と、を備え、
前記放送受信機は、
前記放送受信機とペアリングされた前記複数の携帯端末の識別情報に関連付けて、リモート視聴の優先度を記憶する記憶部と、
前記携帯端末から、リモート視聴の開始を要求するリモート視聴要求を受信する受信部と、
所定の時間範囲内に複数の前記携帯端末から前記リモート視聴要求を受けた場合に、前記優先度に基づいて一の携帯端末を選択する選択部と、
前記選択部により選択された前記携帯端末に対して前記コンテンツを送信する送信部と、
を備えるリモート視聴システム。
【請求項１２】
コンテンツを受信する放送受信機と、前記放送受信機が受信した前記コンテンツをリモート視聴できる複数の携帯端末と、前記複数の携帯端末からリモート視聴をさせる携帯端末を選択する選択装置と、を備え、
前記選択装置は、
前記放送受信機とペアリングされた前記複数の携帯端末の識別情報に関連付けて、リモート視聴の優先度を記憶する記憶部と、
前記携帯端末から、リモート視聴の開始を要求するリモート視聴要求を受信する受信部と、
所定の時間範囲内に複数の前記携帯端末から前記リモート視聴要求を受けた場合に、前記優先度に基づいて一の携帯端末を選択する選択部と、
前記選択部により選択された前記携帯端末を特定する情報を前記放送受信機に送信する送信部と、
を備えるリモート視聴システム。
【請求項１３】
携帯端末から放送受信機に、コンテンツのリモート視聴の開始を要求するリモート視聴要求を送信するステップと、
所定の時間範囲内に複数の前記携帯端末から前記リモート視聴要求を受けた場合に、前記放送受信機とペアリングされた複数の前記携帯端末の識別情報に関連付けられたリモート視聴の優先度に基づいて、前記放送受信機が一の携帯端末を選択するステップと、
前記放送受信機が、選択された前記携帯端末に前記コンテンツを送信するステップと、
を備えるリモート視聴方法。
【発明の詳細な説明】
【技術分野】
【０００１】
本発明は、放送受信機、リモート視聴システム及びリモート視聴方法に関する。
【背景技術】
【０００２】
スマートフォン及びタブレット等の携帯端末の普及に伴い、屋外で移動中にデジタルテレビ放送を視聴したいというニーズが高まっている。このような背景の中、予め放送受信機とペアリングされた携帯端末において、放送受信機が選局中の放送コンテンツを屋外で視聴できるリモート視聴サービスに関する運用仕様が規定され、非特許文献１にて開示されている。
【先行技術文献】
【非特許文献】
【０００３】
【非特許文献１】「デジタル放送受信機におけるリモート視聴要件」、［online］、平成２６年２月１７日、一般社団法人次世代放送推進フォーラム、［平成２６年６月２０日検索］、インターネット（URL: http://www.nextv-f.jp/pdf/NEXTVF_TR-0001_V1_0.pdf）
【発明の概要】
【発明が解決しようとする課題】
【０００４】
放送受信機が、リモート視聴技術を利用して携帯端末に放送コンテンツを転送することにより、携帯端末のユーザは、屋外でデジタルテレビ放送をリモート視聴することができる。しかしながら、コンテンツの保護の観点から、非特許文献１としても規定化されているように、リモート視聴することができる携帯端末の台数は１台に制限されている。したがって、家族で放送受信機を共用している場合、家族のうちの一人がリモート視聴をしていると、他の家族がリモート視聴することができなかった。このような場合、リモート視聴をしている人が、暇つぶしのためにリモート視聴しているにもかかわらず、どうしても見たい放送番組がある他の人がリモート視聴をできないという問題があった。
【０００５】
そこで、本発明はこれらの点に鑑みてなされたものであり、リモート視聴をする必要性が高い人が、優先的にリモート視聴をできるようにすることを目的とする。
【課題を解決するための手段】
【０００６】
本発明の第１の態様においては、ペアリングされた複数の携帯端末の識別情報に関連付けて、コンテンツのリモート視聴の優先度を記憶する記憶部と、前記携帯端末から、リモート視聴の開始を要求するリモート視聴要求を受信する受信部と、所定の時間範囲内に複数の前記携帯端末から前記リモート視聴要求を受けた場合に、前記優先度に基づいて一の携帯端末を選択する選択部と、前記選択部により選択された前記携帯端末に対して前記コンテンツを送信する送信部と、を備える放送受信機を提供する。
【０００７】
前記選択部は、前記コンテンツに関連付けられた前記優先度に基づいて、前記一の携帯端末を選択してもよい。また、前記選択部は、時間帯に関連付けられた前記優先度に基づいて、前記一の携帯端末を選択してもよい。
【０００８】
上記の放送受信機は、前記コンテンツの属性と、前記携帯端末のユーザの属性とに基づいて、前記優先度を決定する決定部をさらに備えてもよい。前記決定部は、リモート視聴の予約をしているユーザの前記携帯端末の前記優先度を、リモート視聴の予約をしていないユーザの前記携帯端末の前記優先度よりも高くしてもよい。
【０００９】
また、前記選択部は、一の前記携帯端末に前記コンテンツを転送中に、前記受信部が、前記一の携帯端末よりも優先度が高い他の前記携帯端末から前記リモート視聴要求を受信すると、前記一の携帯端末のリモート視聴を停止させ、前記他の携帯端末のリモート視聴を開始させてもよい。
【００１０】
前記送信部は、前記他の携帯端末のリモート視聴が終了すると、前記一の携帯端末に、リモート視聴が可能であることを示す情報を送信してもよい。また、前記送信部は、所定の時間範囲内に複数の前記携帯端末から前記リモート視聴要求を受けた場合に、複数の前記携帯端末がアクセス可能なグループ間通信サービスを提供するサーバ及び前記リモート視聴要求を送信した前記携帯端末の少なくともいずれかに、リモート視聴の競合が発生したことを示す情報を送信してもよい。
【００１１】
また、前記送信部は、所定の時間範囲内に複数の前記携帯端末から前記リモート視聴要求を受けた前記コンテンツに関連付けられた他のコンテンツのアクセス先を示すアドレス情報を、前記リモート視聴要求を送信した前記携帯端末に送信してもよい。また、前記送信部は、いずれかの前記携帯端末がリモート視聴中の前記コンテンツを特定するための情報を前記複数の携帯端末に送信してもよい。
【００１２】
本発明の第２の態様においては、コンテンツを受信する放送受信機と、前記放送受信機が受信した前記コンテンツをリモート視聴できる複数の携帯端末と、を備え、前記放送受信機は、前記放送受信機とペアリングされた前記複数の携帯端末の識別情報に関連付けて、リモート視聴の優先度を記憶する記憶部と、前記携帯端末から、リモート視聴の開始を要求するリモート視聴要求を受信する受信部と、所定の時間範囲内に複数の前記携帯端末から前記リモート視聴要求を受けた場合に、前記優先度に基づいて一の携帯端末を選択する選択部と、前記選択部により選択された前記携帯端末に対して前記コンテンツを送信する送信部と、を備えるリモート視聴システムを提供する。
【００１３】
本発明の第３の態様においては、コンテンツを受信する放送受信機と、前記放送受信機が受信した前記コンテンツをリモート視聴できる複数の携帯端末と、前記複数の携帯端末からリモート視聴をさせる携帯端末を選択する選択装置と、を備え、前記選択装置は、前記放送受信機とペアリングされた前記複数の携帯端末の識別情報に関連付けて、リモート視聴の優先度を記憶する記憶部と、前記携帯端末から、リモート視聴の開始を要求するリモート視聴要求を受信する受信部と、所定の時間範囲内に複数の前記携帯端末から前記リモート視聴要求を受けた場合に、前記優先度に基づいて一の携帯端末を選択する選択部と、前記選択部により選択された前記携帯端末を特定する情報を前記放送受信機に送信する送信部と、を備えるリモート視聴システムを提供する。
【００１４】
本発明の第４の態様においては、携帯端末から放送受信機に、コンテンツのリモート視聴の開始を要求するリモート視聴要求を送信するステップと、所定の時間範囲内に複数の前記携帯端末から前記リモート視聴要求を受けた場合に、前記放送受信機とペアリングされた複数の前記携帯端末の識別情報に関連付けられたリモート視聴の優先度に基づいて、前記放送受信機が一の携帯端末を選択するステップと、前記放送受信機が、選択された前記携帯端末に前記コンテンツを送信するステップと、を備えるリモート視聴方法を提供する。
【発明の効果】
【００１５】
本発明によれば、リモート視聴をする必要性が高い人が、優先的にリモート視聴をできるという効果を奏する。
【図面の簡単な説明】
【００１６】
【図１】第１の実施形態に係るリモート視聴システムの構成を示す図である。
【図２】第１の実施形態に係る放送受信機の構成を示す図である。
【図３】記憶部が記憶している優先度テーブルである。
【図４】放送コンテンツごとの優先度を示す優先度テーブルである。
【図５】時間帯ごとの優先度を示す優先度テーブルである。
【図６】リモート視聴時の動作シーケンス図である。
【図７】第２の実施形態におけるリモート視聴時の動作シーケンス図である。
【図８】第３の実施形態に係るリモート視聴システムの構成を示す図である。
【図９】第３の実施形態に係るサーバの構成を示す図である。
【図１０】第３の実施形態におけるリモート視聴時の動作シーケンス図である。
【発明を実施するための形態】
【００１７】
＜第１の実施形態＞
［リモート視聴システムＳ１の構成］
図１は、第１の実施形態に係るリモート視聴システムＳ１の構成を示す図である。リモート視聴システムＳ１は、放送受信機１と、複数の携帯端末２（携帯端末２Ａ、２Ｂ、２Ｃ）とを備える。
【００１８】
放送受信機１は、放送局３から配信される放送コンテンツを受信するチューナーを有するセットトップボックスである。放送受信機１は、例えばＨＤＭＩ（High-Definition Multimedia Interface、登録商標）ケーブルを介して液晶ディスプレイ等のモニタ（不図示）と接続することが可能であり、受信した放送コンテンツをモニタに表示する。
【００１９】
携帯端末２は、基地局４と無線通信回線により接続され、屋外で通信可能なスマートフォン及びタブレット等の端末である。携帯端末２には、放送受信機１から転送された放送コンテンツをリモート視聴するためのアプリケーションソフトがインストールされている。携帯端末２のユーザが、アプリケーションソフトを起動して所定の操作をすると、携帯端末２は、リモート視聴を要求するメッセージであるリモート視聴要求を放送受信機１に送信する。
【００２０】
放送受信機１は、予めペアリングされた携帯端末２からのリモート視聴要求に応じて、インターネット等のネットワークＮを介して、受信した放送コンテンツを携帯端末２に転送する。その結果、携帯端末２のユーザは、転送された放送コンテンツを、放送受信機１から離れた場所においてリモート視聴することができる。ここで、ペアリングは、携帯端末２を識別するための識別情報を、予め放送受信機１に記憶させておく処理である。携帯端末２のユーザは、例えば、放送受信機１と携帯端末２とが屋内の無線通信回線（例えば、Ｗｉ−Ｆｉ（登録商標）回線）で接続可能な状態で所定の操作をすることにより、放送受信機１と携帯端末２とをペアリングさせることができる。
【００２１】
［放送受信機１の構成］
図２は、放送受信機１の構成を示す図である。放送受信機１は、通信部１１と、放送受信部１２と、出力部１３と、記憶部１４と、制御部１５とを有する。
【００２２】
通信部１１は、ネットワークＮを介して携帯端末２と通信するための通信インターフェイスであり、例えばＬＡＮコントローラを含んで構成される。通信部１１は、受信部１１１及び送信部１１２を有する。
【００２３】
受信部１１１は、携帯端末２から、リモート視聴の開始を要求するリモート視聴要求を受信する。リモート視聴要求には、リモート視聴をする放送コンテンツ又はチャネルを特定するための情報が含まれている。受信部１１１は、受信したリモート視聴要求を制御部１５に出力する。
送信部１１２は、制御部１５により選択された携帯端末２に対して、放送局３から受信した放送コンテンツを送信する。
【００２４】
放送受信部１２は、放送局３から放送コンテンツを受信するチューナーである。放送受信部１２は、受信した放送コンテンツを、放送受信機１に接続されたモニタ、又は制御部１５により選択された携帯端末２に出力する。具体的には、ユーザがリモコン操作によりモニタでの放送コンテンツの視聴を選択した場合、放送受信部１２は、放送コンテンツを出力部１３に出力する。また、放送受信部１２は、制御部１５からリモート視聴を開始する指示を受けると、放送コンテンツを暗号化してから送信部１１２に出力する。
【００２５】
出力部１３は、放送受信部１２から入力された放送コンテンツをモニタに出力する。出力部１３は、例えばＨＤＭＩコントローラであり、放送受信部１２から入力された放送コンテンツを所定のフォーマットに変換してからモニタへと出力する。
【００２６】
記憶部１４は、ＲＯＭやフラッシュメモリ等の不揮発性メモリ及びＲＡＭ等の揮発性メモリを含んで構成される。記憶部１４は、制御部１５により実行されるプログラムを記憶している。また、記憶部１４は、ペアリングされた携帯端末２の識別情報に関連付けて、それぞれの携帯端末２がリモート視聴をする優先度を示す優先度テーブルを記憶している。
【００２７】
図３は、記憶部１４が記憶している優先度テーブルの一例である。図３に示す優先度テーブルにおいては、携帯端末２の識別情報と、携帯端末２の所有者と、それぞれの携帯端末２の優先度を示す優先度情報と、それぞれの携帯端末２のユーザが優先的に視聴したいチャネルを示す優先チャネル情報と、それぞれの携帯端末２のユーザが優先的に視聴したい放送コンテンツのジャンルを示す優先ジャンル情報とが関連付けられている。優先度は、１から１０までの数値により表され、数値が小さいほど優先度が高い。図３に示す例においては、父が所有する携帯端末２Ａの優先度が最も高い。記憶部１４は、放送受信機１に表示される操作画面、又は携帯端末２のリモート視聴アプリケーションソフトを用いてユーザが入力する情報に基づいて、優先度テーブルを更新する。
【００２８】
制御部１５は、例えばＣＰＵを含んで構成される。制御部１５は、記憶部１４に記憶されたプログラムを実行することにより、放送受信機１の機能を統括的に制御する。制御部１５は、決定部１５１と、選択部１５２と、通知部１５３とを有する。
【００２９】
決定部１５１は、それぞれの携帯端末２のリモート視聴の優先度を決定する。決定部１５１は、放送受信機１に接続されたモニタ、又はＷｉ−Ｆｉ回線で接続された携帯端末２に、複数の携帯端末２の優先度を入力するための操作画面を表示させ、操作画面において入力された情報に基づいて優先度を決定する。決定部１５１は、決定した優先度を示す情報を記憶部１４に記憶させる。決定部１５１は、例えば、ユーザにより入力された情報に基づいて図３に示す優先度テーブルを作成し、作成した優先度テーブルを記憶部１４に記憶させる。
【００３０】
決定部１５１は、ユーザが操作画面において入力した優先度の代わりに、他の情報に基づいて優先度を決定してもよい。例えば、決定部１５１は、放送コンテンツの属性と、携帯端末２のユーザの属性とに基づいて、優先度を決定する。具体的には、決定部１５１は、以下の手順により優先度を決定する。
【００３１】
まず、決定部１５１は、携帯端末２のユーザの属性として、予め記憶部１４に記憶された、ユーザが関心を持っている放送コンテンツの属性を示す情報を取得する。放送コンテンツの属性情報は、例えば、「ビジネス」、「ドラマ」、「バラエティ」、「スポーツ」のように、放送コンテンツの特徴を示す情報である。続いて、決定部１５１は、放送局３によって放送される放送コンテンツから取得した電子番組ガイド（ＥＰＧ：Electronic Program Guide）やＳＩ（Service Information）情報に基づいて、放送される予定の放送コンテンツの属性情報を取得する。決定部１５１は、それぞれの放送コンテンツに対して、放送コンテンツの属性情報と、ユーザが関心を持っている放送コンテンツの属性情報とを比較し、比較結果の一致度合いが大きければ大きいほど、優先度を高くする。
【００３２】
図４は、このようにして決定部１５１が決定した放送コンテンツごとの優先度を示す優先度テーブルである。当該優先度テーブルにおいては、放送コンテンツと、携帯端末２Ａ、携帯端末２Ｂ及び携帯端末２Ｃの優先度とが関連付けられている。
【００３３】
また、決定部１５１は、放送受信機１に接続されたモニタに表示される操作画面、又は携帯端末２のリモート視聴アプリケーションソフトを用いてユーザが入力する情報に基づいて、時間帯ごとの優先度を決定してもよい。図５は、時間帯ごとの優先度を示す優先度テーブルである。図５に示す優先度テーブルにおいては、３時間ごとの時間帯と優先度とが関連付けられている。
【００３４】
選択部１５２は、所定の時間範囲内に複数の携帯端末２からリモート視聴要求を受けた場合に、記憶部１４に記憶された優先度テーブルに基づいて、一の携帯端末２を選択する。具体的には、選択部１５２は、携帯端末２Ａからリモート視聴要求を受信してから携帯端末２Ａのリモート視聴が終了するまでの時間帯に、携帯端末２Ｂからリモート視聴要求を受けた場合に、携帯端末２Ａ及び携帯端末２Ｂのうち、図３に示す優先度の高い携帯端末２を選択する。
【００３５】
より具体的には、選択部１５２は、携帯端末２Ａに放送コンテンツを転送中に、受信部１１１が、携帯端末２Ａよりも優先度が高い他の携帯端末２からリモート視聴要求を受信すると、携帯端末２Ａのリモート視聴を停止させ、他の携帯端末２のリモート視聴を開始させる。例えば、選択部１５２は、携帯端末２Ａがリモート視聴中に、携帯端末２Ｂからリモート視聴要求を受けた場合において、携帯端末２Ｂの優先度が携帯端末２Ａの優先度よりも高いならば、携帯端末２Ｂを選択する。この場合、送信部１１２は、携帯端末２Ａに対して、リモート視聴を停止する旨のメッセージを送信する。また、送信部１１２は、携帯端末２Ｂへの放送コンテンツの送信を開始する。
【００３６】
選択部１５２は、携帯端末２Ａがリモート視聴中に、携帯端末２Ｂからリモート視聴要求を受けた場合において、携帯端末２Ａの優先度が携帯端末２Ｂの優先度よりも高いならば、携帯端末２Ａを選択する。この場合、送信部１１２は、携帯端末２Ａへの放送コンテンツの送信を継続する。また、送信部１１２は、携帯端末２Ｂに対して、リモート視聴を開始できない旨のメッセージを送信する。
【００３７】
選択部１５２は、図３に示す優先度テーブル内の優先度情報とともに、優先チャネル情報を用いて、リモート視聴を許可する携帯端末２を選択してもよい。具体的には、選択部１５２は、携帯端末２が、当該携帯端末２の優先チャネルの放送コンテンツをリモート視聴している間は、他の携帯端末２からリモート視聴要求を受けても他の携帯端末２を選択することなく、リモート視聴を継続させる。図３に示す例の場合、選択部１５２は、携帯端末２Ａが、携帯端末２Ａの優先チャネルに対応する放送コンテンツをリモート視聴中に、携帯端末２Ｂの優先チャネルに対応する放送コンテンツのリモート視聴要求を携帯端末２Ｂから受信すると、携帯端末２Ａのリモート視聴を継続させる。選択部１５２は、携帯端末２Ｂが、携帯端末２Ｂの優先チャネルに対応する放送コンテンツをリモート視聴中に、携帯端末２Ａの優先チャネルに対応する放送コンテンツのリモート視聴要求を携帯端末２Ａから受信すると、優先度情報が示す優先度によらず、携帯端末２Ｂのリモート視聴を継続させる。また、選択部１５２は、携帯端末２Ａが、携帯端末２Ａの優先チャネル以外のチャネルの放送コンテンツを視聴中に、携帯端末２Ｂの優先チャネルに対応する放送コンテンツのリモート視聴要求を携帯端末２Ｂから受信すると、優先度情報が示す優先度によらず、携帯端末２Ｂを選択してもよい。
【００３８】
同様に、選択部１５２は、携帯端末２Ａが、携帯端末２Ａの優先ジャンルの放送コンテンツをリモート視聴中に、携帯端末２Ｂの優先ジャンルの放送コンテンツをリモート視聴したいという要求を携帯端末２Ｂから受信すると、携帯端末２Ａのリモート視聴を継続させる。選択部１５２は、携帯端末２Ｂが、携帯端末２Ｂの優先ジャンルの放送コンテンツをリモート視聴中に、携帯端末２Ａの優先ジャンルの放送コンテンツをリモート視聴したいという要求を携帯端末２Ａから受信すると、優先度情報が示す優先度によらず、携帯端末２Ｂのリモート視聴を継続させる。また、選択部１５２は、優先ジャンル情報を用いて、リモート視聴を許可する携帯端末２を選択してもよい。図３に示す例の場合、選択部１５２は、携帯端末２Ａが、携帯端末２Ａの優先ジャンル以外のジャンルの放送コンテンツを視聴中に、携帯端末２Ｂの優先ジャンルに対応する放送コンテンツをリモート視聴したいという要求を携帯端末２Ｂから受信すると、優先度情報が示す優先度によらず、携帯端末２Ｂを選択してもよい。
【００３９】
また、選択部１５２は、図４に示す優先度テーブルを用いてリモート視聴を許可する携帯端末２を選択してもよい。具体的には、選択部１５２は、携帯端末２Ａが放送コンテンツｂを視聴中に、放送コンテンツｂに対する優先度が携帯端末２Ａよりも高い携帯端末２Ｂから、放送コンテンツｂに対するリモート視聴要求を受信すると、携帯端末２Ｂを選択することにより、携帯端末２Ａのリモート視聴を中止させ、携帯端末２Ｂのリモート視聴を開始させる。なお、選択部１５２は、携帯端末２Ａがリモート視聴中の放送コンテンツが図４に示す優先度テーブルに含まれていない場合には、図３に示す優先度テーブルに基づいて、リモート視聴を許可する携帯端末２を選択する。
【００４０】
また、選択部１５２は、携帯端末２Ａが優先度１の放送コンテンツａをリモート視聴中に、携帯端末２Ｂから、携帯端末２Ｂが優先度１の放送コンテンツｂに対するリモート視聴要求を受信した場合、図３の優先度テーブルに含まれる優先度情報、優先チャネル情報、又は優先ジャンル情報に基づいて、リモート視聴を許可する携帯端末２を選択する。
【００４１】
さらに、選択部１５２は、図５に示す優先度テーブルを用いてリモート視聴を許可する携帯端末２を選択してもよい。具体的には、選択部１５２は、６：００〜９：００の時間帯に携帯端末２Ａが放送コンテンツを視聴中に、当該時間帯における優先度が携帯端末２Ａよりも高い携帯端末２Ｂからリモート視聴要求を受信すると、携帯端末２Ｂを選択することにより、携帯端末２Ａのリモート視聴を中止させ、携帯端末２Ｂのリモート視聴を開始させる。
【００４２】
選択部１５２が、図３から図５に示す優先度テーブルのうち、どの優先度テーブルを優先的に使用して携帯端末２を選択するかは任意である。選択部１５２は、例えば、ユーザの設定に基づいて、どの優先度テーブルを優先的に使用するかを決定することができる。
【００４３】
通知部１５３は、携帯端末２に通知する各種の情報を送信部１１２に送信させる。例えば、通知部１５３は、リモート視聴をしていた携帯端末２Ｂが、優先度が携帯端末２Ｂよりも高い携帯端末２Ａのリモート視聴の開始によりリモート視聴を中止していた場合、携帯端末２Ｂによるリモート視聴が終了すると、携帯端末２Ｂに、リモート視聴が可能であることを通知する。
【００４４】
リモート視聴システムＳ１は、携帯端末２のユーザが、リモート視聴を活用しやすくするために、通知部１５３が、携帯端末２に対して、リモート視聴が可能な他の携帯端末２によるリモート視聴の状況に関する情報を送信してもよい。例えば、通知部１５３は、図５に示した優先度テーブルに基づいて、優先度が切り替わるタイミングにおいて、切り替え後の優先度に関する情報を携帯端末２に通知してもよい。通知部１５３は、午前９時の時点で最も高い優先度になった携帯端末２Ｃに対して、優先度が高くなったことを通知することで、携帯端末２Ｃのユーザに対してリモート視聴を促すことができる。
【００４５】
また、通知部１５３は、いずれの携帯端末２もリモート視聴をしていない場合、各時間帯における優先度が高い順番に、順次、リモート視聴が可能であることを携帯端末２に通知してもよい。例えば、通知部１５３は、午前９時から１２時の間において所定の時間以上にわたって携帯端末２Ａ、２Ｂ、２Ｃがリモート視聴をしていない場合に、携帯端末２Ｃに対して、リモート視聴が可能であることを通知する。その後、所定の時間が経過した後に、通知部１５３は、携帯端末２Ａに対して、リモート視聴が可能であることを通知する。このようにすることで、リモート視聴システムＳ１は、携帯端末２のユーザに、リモート視聴を促すことができる。
【００４６】
また、通知部１５３は、送信部１１２を介して、例えば、放送受信機１にペアリングされた複数の携帯端末２がアクセス可能なＳＮＳ（Social Network Service）やメッセージ交換サービス等のグループ間通信サービスに、リモート視聴できることを示す情報を送信してもよく、携帯端末２自身に対して直接、本通知を送信してもよい。例えば、通知部１５３は、グループ間通信サービスにおいてメッセージを管理しているサーバに、上記の情報を送信する。通知部１５３は、所定の時間範囲内に複数の携帯端末２からリモート視聴要求を受けた場合に、複数の携帯端末２がアクセス可能なグループ間通信サービスに、リモート視聴の競合が発生したことを示す情報を送信してもよく、携帯端末２自身に対して直接、本通知を送信してもよい。
【００４７】
また、通知部１５３は、いずれかの携帯端末２がリモート視聴をしている場合、当該携帯端末２がリモート視聴中の放送コンテンツを特定するための情報を、送信部１１２を介して、ペアリングしている複数の携帯端末２に通知してもよい。この場合に、通知部１５３は、放送コンテンツをリモート視聴中の携帯端末２を特定する情報を、他の複数の携帯端末２に通知してもよい。携帯端末２においては、番組選局時にユーザが用いる番組表に、リモート視聴中の放送コンテンツを示すフラグを表示する。このようにすることで、リモート視聴していない携帯端末２のユーザは、どの放送コンテンツがリモート視聴されているかを認識することができる。また、通知部１５３は、リモート視聴をしているユーザ名、及び予約された放送コンテンツ名を、放送受信機１にペアリングされた携帯端末２に通知してもよい。このようにすることで、ユーザは、必要に応じてリモート視聴中のユーザに連絡して、リモート視聴を中止することを要求し、自らがリモート視聴を開始することができる。
【００４８】
さらに、通知部１５３は、所定の時間範囲内に複数の携帯端末２からリモート視聴要求を受けた放送コンテンツに関連付けられた他のコンテンツのアクセス先を示すアドレス情報を、送信部１１２を介して、リモート視聴要求を送信した携帯端末２に通知してもよい。例えば、当該放送コンテンツが、ＶＯＤ（Video On Demand）サーバに格納されている場合、通知部１５３は、ＶＯＤサーバにアクセスするための情報を携帯端末２に通知する。また、当該放送コンテンツが、録画番組として、放送受信機１、又はＵＳＢ（Universal Serial Bus）接続されているＨＤＤ（Hard Disk Drive）内に格納されている場合、通知部１５３は、当該放送コンテンツへアクセスするための情報を携帯端末２に通知する。このようにすることで、１台の携帯端末２が放送コンテンツをリモート視聴している場合に、他の携帯端末２が、同じ時間帯に放送されている放送コンテンツ、又は放送されている放送コンテンツに関連する放送コンテンツを視聴することができる。
【００４９】
通知部１５３は、リモート視聴要求を受けた放送コンテンツと同一又は類似の属性の他のビデオコンテンツにアクセスするための情報を携帯端末２に通知してもよい。このようにすることで、リモート視聴をすることができないユーザにとって興味がある他のコンテンツを楽しむことが可能になる。
【００５０】
［動作シーケンス］
図６は、リモート視聴時の動作シーケンス図である。図６は、携帯端末２Ａがリモート視聴中に、携帯端末２Ｂからリモート視聴開始の要求が送信された場合の動作シーケンスを示している。
【００５１】
放送受信機１は、携帯端末２Ｂが送信したリモート視聴要求を受信すると（Ｓ１）、携帯端末２Ｂよりも優先度が高い携帯端末２でリモート視聴中であるかどうかを判定する（Ｓ２）。放送受信機１は、リモート視聴中の携帯端末２Ａの優先度が携帯端末２Ｂよりも高いと判定すると、携帯端末２Ｂに対して、リモート視聴を開始できない旨を示す拒否通知を送信する（Ｓ３）。
【００５２】
放送受信機１は、リモート視聴中の携帯端末２Ａの優先度が携帯端末２Ｂよりも低いと判定すると、携帯端末２Ａに対して、リモート視聴を中止する旨を示す配信停止通知を送信して、携帯端末２Ｂでのリモート視聴の開始手順に移行する（Ｓ４）。放送受信機１は、携帯端末２Ａが視聴していた放送コンテンツ名と、当該放送コンテンツの視聴を開始してからリモート視聴を中止するまでの経過時間とを含む視聴履歴情報を、携帯端末２Ａに関連付けて記憶部１４に記憶させる。放送受信機１は、携帯端末２Ａによるリモート視聴を中止させた放送コンテンツを記憶部１４に記憶させてもよい。
【００５３】
放送受信機１は、携帯端末２Ｂでのリモート視聴の開始に先立ち、携帯端末２Ｂとの間でＤＴＣＰ−ＩＰ（Digital Transmission Content Protection over IP network）認証処理を実行する（Ｓ５）。具体的には、放送受信機１は、携帯端末２Ｂとの間で証明書を交換することにより、携帯端末２Ｂがリモート視聴可能な端末であることを確認し、放送コンテンツの暗号化に用いる暗号鍵を生成する。放送受信機１は、ＤＴＣＰ−ＩＰ認証処理が完了すると、放送コンテンツを暗号化して携帯端末２Ｂに配信する（Ｓ６）。
【００５４】
その後、放送受信機１は、携帯端末２Ｂからリモート視聴を終了する要求を受信すると（Ｓ７）、携帯端末２Ｂに対して、リモート視聴の終了を受け付けた旨を示す終了受付通知を送信する（Ｓ８）。続いて、放送受信機１は、携帯端末２Ｂがリモート視聴を開始する前にリモート視聴していた携帯端末２Ａに対して、リモート視聴を再開できる旨を示す再開可能通知を送信する（Ｓ９）。携帯端末２Ａは、再開可能通知を受信すると、リモート視聴を再開できることを示すメッセージを表示する。携帯端末２Ａは、ユーザが、リモート視聴を再開するための操作をすると、リモート視聴再開要求を放送受信機１に送信する（Ｓ１０）。
【００５５】
放送受信機１は、携帯端末２Ａからリモート視聴再開要求を受信すると、放送コンテンツの配信を再開する（Ｓ１１）。放送受信機１が、携帯端末２Ａがリモート視聴していた放送コンテンツを記憶している場合、携帯端末２Ａに関連付けて記憶部１４に記憶されている視聴履歴情報に基づいて、リモート視聴をしていた放送コンテンツと同じチャネルの放送コンテンツを配信する。放送受信機１がリモート視聴の対象となる放送コンテンツを録画している場合、放送受信機１は、リモート視聴を中止した位置から放送コンテンツを配信してもよい。なお、放送受信機１は、携帯端末２Ａからの要求に応じて、他の位置から放送コンテンツを配信したり、携帯端末２Ａが視聴していたコンテンツと異なる放送コンテンツを配信したりしてもよい。
【００５６】
［第１の実施形態における効果］
以上のとおり、第１の実施形態に係る放送受信機１は、所定の時間範囲内に複数の携帯端末２からリモート視聴の要求を受信した場合に、優先度テーブルに基づいて選択した携帯端末２に対してリモート視聴を許可する。このようにすることで、放送受信機１にペアリングされた複数の携帯端末２の複数のユーザが、同じ時間帯にリモート視聴をしたいと考えた場合に、リモート視聴をする必要性が高いユーザが、優先的にリモート視聴をできる。
【００５７】
＜第２の実施形態＞
第１の実施形態に係る放送受信機１は、複数の携帯端末２からリモート視聴の要求を受信した場合に、予め作成された優先度テーブルに基づいて選択した携帯端末２に対してリモート視聴を許可した。第２の実施形態に係る放送受信機１は、携帯端末２がリモート視聴する放送コンテンツ又はリモート視聴する時間帯を予約し、放送受信機１は、予約情報に基づいて選択した携帯端末２に対してリモート視聴を許可する点で第１の実施形態と異なる。
【００５８】
携帯端末２のユーザは、放送受信機１又は携帯端末２に表示される電子番組ガイドを用いて、リモート視聴したい放送コンテンツ又はリモート視聴したい時間帯を選択し、リモート視聴することを予約できる。記憶部１４は、予約された放送コンテンツ又は時間帯と、リモート視聴を予約した携帯端末２を特定する情報とを関連付けた予約情報を記憶する。記憶部１４は、例えば、予約された放送コンテンツの放送開始時刻、又は予約された時間帯の開始時刻を予約開始時刻として含む予約情報を記憶する。決定部１５１は、リモート視聴の予約をしているユーザの携帯端末２の優先度を、リモート視聴の予約をしていないユーザの携帯端末２の優先度よりも高くする。選択部１５２は、リモート視聴の予約をしている携帯端末２を、リモート視聴を許可する携帯端末２として優先的に選択する。
【００５９】
図７は、第２の実施形態におけるリモート視聴時の動作シーケンス図である。ここでは、携帯端末２Ｂが放送コンテンツのリモート視聴予約をしており、携帯端末２Ｂの予約開始時刻の直前に、携帯端末２Ａがリモート視聴をしている場合の動作について説明する。
【００６０】
選択部１５２は、定期的に記憶部１４に記憶された予約情報を参照して、現在の時刻が、いずれかの携帯端末２の予約開始時刻まで第１の所定時間以内に入っているか否かを判定する（Ｓ２１）。選択部１５２が、例えば予約開始時刻の１分前になったと判定すると、放送受信機１は、携帯端末２Ａに対して、リモート視聴を中止する旨を示す配信停止通知を、その理由とともに送信する（Ｓ２２）。その後、図６におけるＳ５以降と同様に、携帯端末２Ｂとの間でＤＴＣＰ−ＩＰ認証処理をした後に（Ｓ２３）、携帯端末２Ｂに対してコンテンツの配信を開始する（Ｓ２４）。
【００６１】
選択部１５２は、Ｓ２１の前に、リモート視聴の予約開始時刻まで、第１の所定時間よりも長い第２の所定時間以内に入っているか否かを判定し、第２の所定時間以内の時間帯に、リモート視聴を予約した携帯端末２以外の携帯端末２からリモート視聴開始要求を受信した場合に、リモート視聴開始要求を送信した携帯端末２を選択しないようにしてもよい。この場合、通知部１５３は、送信部１１２を介して、リモート視聴開始要求を送信した携帯端末２に対して、既に自身以外の携帯端末２によるリモート視聴予約が行われており、間もなくサービスが開始される等の理由を含む拒否通知を送信する。このようにすることで、ユーザがリモート視聴を開始したにもかかわらず、短時間でリモート視聴を中止しなければならない事態を回避することができる。
【００６２】
また、通知部１５３は、予約開始時刻まで第２の所定時間以内になると、送信部１１２を介して、放送受信機１とペアリングされた全ての携帯端末２に対して、リモート視聴の予約開始時刻が近づいており、リモート視聴の開始をできない旨を通知してもよい。例えば、通知部１５３は、予約開始時刻の５分前になると、リモート視聴の予約をしているユーザ名、及び予約された放送コンテンツ名を、放送受信機１にペアリングされた携帯端末２がアクセスできるメッセージ交換サービスの所定アドレスに送信する。このようにすることで、ユーザは、他のユーザの予約開始時刻が近づいているのでリモート視聴をできないことを認識することができる。
【００６３】
この場合、リモート視聴を予約していないユーザは、予約しているユーザに対して、予約のキャンセル要求をすることができる。例えば、携帯端末２Ａのユーザがリモート視聴を予約している場合、携帯端末２Ｂのユーザは、携帯端末２Ａのユーザが、予約した放送コンテンツを視聴しない可能性があると判断すると、携帯端末２Ｂのリモート視聴用アプリケーションソフトを用いて、キャンセル要求操作をする。ユーザがキャンセル要求操作をすると、携帯端末２Ｂは、放送受信機１に対して予約キャンセル要求を送信し、放送受信機１は、予約キャンセル要求があったことを携帯端末２Ａに送信する。携帯端末２Ａのユーザが、キャンセルを承諾する操作をすると、携帯端末２Ａは、予約をキャンセルする旨のメッセージを放送受信機１に送信する。その後、放送受信機１は、予約をキャンセルするとともに、予約をキャンセルした旨を、ペアリングされた全ての携帯端末２に通知する。
【００６４】
なお、予約情報は、予約された放送コンテンツの放送終了時刻、又は予約された時間帯の終了時刻を予約終了時刻として含んでもよい。この場合、通知部１５３は、予約終了時刻になると、送信部１１２を介して、放送受信機１とペアリングされた全ての携帯端末２に対して、リモート視聴が可能になった旨を通知してもよい。通知部１５３は、予約終了時刻まで所定時間以内になると、リモート視聴が可能になる見込みである旨を通知してもよい。さらに、通知部１５３は、リモート視聴の予約がされていない時間帯には、いつまでであれば視聴できるかを携帯端末２に対して通知してもよい。通知部１５３は、視聴可能な時間帯に、当該時間帯から放送が開始されるコンテンツに関する情報を携帯端末２に通知してもよい。
【００６５】
［第２の実施形態における効果］
以上のとおり、第２の実施形態に係る放送受信機１は、リモート視聴の予約開始時刻を管理し、予約開始時刻に基づいて、リモート視聴の可否を制御する。このようにすることで、ユーザが視聴したい放送コンテンツがある場合に、優先度の設定を変更することなく、予約したユーザにリモート視聴をさせることができる。また、放送受信機１は、予約開始時刻が近づくと、他のユーザによるリモート視聴の開始を禁止するので、ユーザがリモート視聴を開始したにもかかわらず、短時間でリモート視聴を中止しなければならない事態を回避することができる。
【００６６】
＜第３の実施形態＞
図８は、第３の実施形態に係るリモート視聴システムＳ２の構成を示す図である。リモート視聴システムＳ２は、サーバ５をさらに備えており、放送受信機１がサーバ５と連携して動作する点で、第１の実施形態に係るリモート視聴システムＳ１と異なる。サーバ５は、放送受信機１とペアリングされた複数の携帯端末２から、リモート視聴を許可する携帯端末２を選択する選択装置である。
【００６７】
図９は、サーバ５の構成を示す図である。サーバ５は、通信部５１と、記憶部５２と、制御部５３とを有する。通信部５１は、図２に示した放送受信機１における通信部１１に対応し、受信部１１１及び送信部１１２に対応する受信部５１１及び送信部５１２を有する。記憶部５２は、放送受信機１における記憶部１４に対応する。制御部５３は、放送受信機１における制御部１５に対応し、決定部１５１、選択部１５２及び通知部１５３に対応する決定部５３１、選択部５３２及び通知部５３３を有する。
【００６８】
記憶部５２は、放送受信機１とペアリングされた複数の携帯端末２の識別情報に関連付けて、リモート視聴の優先度を記憶する。受信部５１１は、携帯端末２から、リモート視聴の開始を要求するリモート視聴要求を受信する。選択部５３２は、所定の時間範囲内に複数の携帯端末２からリモート視聴要求を受けた場合に、記憶部５２に記憶された優先度に基づいて、リモート視聴を許可する携帯端末２を選択する。送信部５１２は、選択部５３２により選択された携帯端末２を特定する情報を放送受信機１に送信する。放送受信機１は、選択部５３２により選択された携帯端末２を特定する情報を受信すると、当該携帯端末２に対して、放送コンテンツの配信を開始する。
【００６９】
図１０は、第３の実施形態におけるリモート視聴時の動作シーケンス図である。図１０は、携帯端末２Ａがリモート視聴中に携帯端末２Ｂからリモート視聴開始の要求が送信された場合の動作シーケンスを示している。
【００７０】
携帯端末２Ｂは、ユーザがリモート視聴を開始する操作をすると、サーバ５に対してリモート視聴開始要求を送信する（Ｓ３１）。サーバ５は、携帯端末２Ｂが送信したリモート視聴開始要求を受信すると、携帯端末２Ｂよりも優先度が高い携帯端末２でリモート視聴中であるかどうかを判定する（Ｓ３２）。サーバ５は、リモート視聴中の携帯端末２Ａの優先度が携帯端末２Ｂよりも高いと判定すると、携帯端末２Ｂに対して、リモート視聴を開始できない旨を示す拒否通知を配信する（Ｓ３３）。
【００７１】
サーバ５は、リモート視聴中の携帯端末２Ａの優先度が携帯端末２Ｂよりも低いと判定すると、携帯端末２Ａに対して、リモート視聴を中止する旨を示す配信停止通知を送信する（Ｓ３４）。また、サーバ５は、携帯端末２Ｂに対して、リモート視聴の許可通知を送信する（Ｓ３５）。さらに、サーバ５は、放送受信機１に対して、放送コンテンツの送信先を携帯端末２Ａから携帯端末２Ｂに切り替える指示を送信する（Ｓ３６）。その後、放送受信機１は、携帯端末２Ｂとの間でＤＴＣＰ−ＩＰの認証処理を行った後に（Ｓ３７）、放送コンテンツの配信を開始する（Ｓ３８）。
【００７２】
携帯端末２Ｂは、ユーザがリモート視聴を終了する操作を行うと、サーバ５に対して、リモート視聴の終了要求を送信する（Ｓ３９）。サーバ５は、携帯端末２Ｂに対して、終了要求を受け付けたことを通知するとともに（Ｓ４０）、放送受信機１に対して、携帯端末２Ｂへの放送コンテンツの配信を終了するように指示する（Ｓ４１）。
【００７３】
［第３の実施形態における効果］
以上のとおり、第３の実施形態においては、サーバ５が、複数の携帯端末２のリモート視聴の優先度と、リモート視聴中の状態を管理する。したがって、ユーザが使用する放送受信機１が、優先度を管理する機能を有していない場合であっても、リモート視聴をする必要性が高い人が優先的にリモート視聴をできるようにすることができる。
【００７４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００７５】
例えば、上記の実施形態においては、リモート視聴に先立つ認証処理においてＤＴＣＰ−ＩＰを用いる場合について説明したが、他の認証方式を適用することもできる。また、携帯端末２においてリモート視聴をする場所は任意である。上記の実施形態において、携帯端末２は、ネットワークＮを介して放送受信機１から放送コンテンツを受信したが、携帯端末２のユーザは、放送受信機１と直接の通信が可能な宅内においてリモート視聴をしてもよい。
【符号の説明】
【００７６】
１  放送受信機
２  携帯端末
３  放送局
４  基地局
５  サーバ
１１  通信部
１２  放送受信部
１３  出力部
１４  記憶部
１５  制御部
５１  通信部
５２  記憶部
５３  制御部
１１１  受信部
１１２  送信部
１５１  決定部
１５２  選択部
１５３  通知部
５１１  受信部
５１２  送信部
５３１  決定部
５３２  選択部
５３３  通知部
【図１】
2016066913.tif 000003
【図２】
2016066913.tif 000004
【図３】
2016066913.tif 000005
【図４】
2016066913.tif 000006
【図５】
2016066913.tif 000007
【図６】
2016066913.tif 000008
【図７】
2016066913.tif 000009
【図８】
2016066913.tif 000010
【図９】
2016066913.tif 000011
【図１０】
2016066913.tif 000012